(57)【要約】【課題】絶縁操作棒を用いて、一対の絶縁ケースを確実に閉止できる電線用クランプカバーを提供する。【解決手段】クランプカバー１００は、ヒンジ部１２ｈを一端部側に有し、他端部側を開閉自在に構成した一対の絶縁ケース１１・１１を備える。一方の絶縁ケース１１は、他端部側に突出した鍔片１６ａ、鍔片１６ａの端縁から延出した折り曲げ可能なヒンジ帯１６ｂ、及び、ヒンジ帯１６ｂの先端部に設けた第１係合部材１６を有する。他方の絶縁ケース１１は、一方の外壁１７１に鍔片１６ａを当接でき、凹部１７０を形成した収容箱１７と、凹部１７０に出入り自在に収容箱１７に連結した第２係合部材１８を有する。第１絶縁操作棒５を用いて、第１係合部材１６と第２係合部材１８を係合した状態で、第１係合部材１６と第２係合部材１８を脱落困難に凹部１７０に収容させる。【選択図】図７
2015061367.tif 000002
【特許請求の範囲】
【請求項１】
電線を導入する導入筒部、及び前記電線を導出する導出筒部を少なくとも有し、前記電線をクランプする引留クランプを覆う電線用クランプカバーであって、
屈曲自在なヒンジ部を一端部側に有し、他端部側を開閉自在に構成した一対の絶縁ケースを備え、
一方の前記絶縁ケースは、
他端部側に突出し、所定の幅に延びる鍔片と、
この鍔片の端縁から延出し、折り曲げ可能な薄肉のヒンジ帯と、
このヒンジ帯の先端部に設けた板状の第１係合部材と、を有し、
他方の前記絶縁ケースは、
他端部側に突出し、一方の外壁に前記鍔片を当接できると共に、他端部側に開口した凹部を形成した収容箱と、
前記凹部に出入り自在に前記収容箱に連結した板状の第２係合部材と、を有し、
一対の開閉腕を先端部に有する第１絶縁操作棒を用いて、前記第１係合部材と前記第２係合部材を係合した状態で、これらの第１係合部材と第２係合部材を脱落困難に前記凹部に収容させる、電線用クランプカバー。
【請求項２】
前記ヒンジ帯は、
前記鍔片が延びる方向から反転し、前記収容箱の一方の外壁の端縁を経由可能なＵ字状の第１折り曲げ部と、
前記第１折り曲げ部から前記鍔片が延びる方向と反対方向に延びる第１帯状部と、
前記第１帯状部が延びる方向から反転するＵ字状の第２折り曲げ部と、
前記第２折り曲げ部から第１係合部材に向かって延びる第２帯状部と、を有し、
前記第１折り曲げ部及び前記第２折り曲げ部を屈曲させた状態で、前記ヒンジ帯を前記凹部に収容させる、請求項１記載の電線用クランプカバー。
【請求項３】
前記第２係合部材は、一方の面から突出した一対の鉤片を有し、
前記収容箱は、前記第２係合部材が前記凹部に出入りする方向に、一対の前記鉤片を案内する一対の長穴を一方の前記外壁と反対側の他方の外壁に有する請求項１又は２記載の電線用クランプカバー。
【請求項４】
前記第２係合部材は、第２絶縁操作棒の先端部に設けたフック状の先端工具が係合可能な係合穴を開口した係止片を下端部から突出している請求項１から３のいずれかに記載の電線用クランプカバー。
【請求項５】
少なくとも、前記鍔片、前記ヒンジ帯、及び前記１係合部材を一体成形している請求項１から４のいずれかに記載の電線用クランプカバー。
【発明の詳細な説明】
【技術分野】
【０００１】
本発明は、電線用クランプカバーに関する。特に、耐張碍子を介して、電線を電柱などに引き留める引留クランプを絶縁ケースで覆う電線用クランプカバーであって、絶縁操作棒を用いて、一端部側をヒンジ部で連結した一対の絶縁ケースの他端部側を確実に閉止できる電線用クランプカバーの構造に関する。
【背景技術】
【０００２】
一般に、高圧の電線は、地上に立設された電柱に架設されている。電線を電柱に架設する場合、電線の被覆の一部を剥離し、この剥離部位を引留クランプでクランプすると共に、耐張碍子を介して、引留クランプを電柱に引き留めている。
【０００３】
上述した引留クランプは、複数の金属製の部材で構成され、充電された状態で露出しておくと心配である。したがって、引留クランプは、一般に、半分割状態に形成された開閉可能な絶縁性を有するクランプカバーで覆っている。
【０００４】
ところで、上述したクランプカバーは、高所に配置されているため、絶縁操作棒を用いて、クランプカバーを閉じる作業が容易でなかった。又、従来のクランプカバーは、開口部に隙間ができ易く、特に、電線出口部では、電線が風力の影響で揺動し易く、電線出口部の隙間から鳥又は蛇などが侵入して、地絡の原因になる心配があった。
【０００５】
このような不具合を解消するため、取り付け作業性が良好であり、開口部に隙間が生じにくい電線用クランプカバーが開示されている（例えば、特許文献１参照）。
【先行技術文献】
【特許文献】
【０００６】
【特許文献１】特開２００７−３１２５７４号公報
【発明の概要】
【発明が解決しようとする課題】
【０００７】
図９は、特許文献１による電線用クランプカバーの正面図である。図１０は、特許文献１による電線用クランプカバーの正面図であり、一方の絶縁ケースを開いた状態図である。本願の図９は、特許文献１の図１に相当し、本願の図１０は、特許文献１の図２に相当している。
【０００８】
図９又は図１０を参照すると、特許文献１による電線用クランプカバー（以下、クランプカバーと略称する）７は、半分割状態に形成された一対の絶縁ケース７１・７１で構成している。一対の絶縁ケース７１・７１は、一端部側をヒンジ部７２ｈで屈曲自在に連結し、他端部側を開閉自在に構成している。一対の絶縁ケース７１・７１の他端部側を閉じることで、くさび型の引留クランプ９を絶縁ケースで覆うことができる。
【０００９】
図９又は図１０を参照すると、引留クランプ９は、耐張碍子Ｓｉを介して、図示しない電柱に引き留められている。引留クランプ９は、クランプ本体９１、三角体状のくさび体９２、及び押え金具９３で構成している。クランプ本体９１は、くさび体９２とスライド可能に連結している。又、クランプ本体９１は、耐張碍子Ｓｉと回動可能に連結する円環部９１ａを一端部に有し、受け部９１ｂを他端部に有している。受け部９１ｂには、電線Ｗの被覆Ｗｉが部分的に剥離された剥離部Ｗｅと共に、くさび体９２の端部が押し込まれている。
【００１０】
図９を参照すると、くさび体９２の斜面には、剥離部Ｗｅの外周を受ける円弧状の溝が形成されている。そして、くさび体９２と押え金具９３とがボルトで締結され、電線Ｗの剥離部Ｗｅを挟持（クランプ）している。このように構成された引留クランプ９は、絶縁性を有するクランプカバー７で覆っている。
【００１１】
図９又は図１０を参照すると、一対の絶縁ケース７１・７１は、一組の施錠片７３ａ・７３ａを他端部側に突出している。一方の絶縁ケース７１に設けた施錠片７３ａと他方の絶縁ケース７１に設けた施錠片７３ａを互いにロックすることによって、一対の絶縁ケース７１・７１を袋状に閉じることができる。又、一対の絶縁ケース７１・７１は、一組の把持片７３ｂ・７３ｂを他方の端部に突出している。先端部に把持工具を有する絶縁操作棒（図示せず）を用いて、把持片７３ｂを把持することで、クランプカバー７を高所に移動できる。
【００１２】
図９又は図１０を参照すると、一対の絶縁ケース７１・７１は、三角体状のカバー本体部７０と導入筒部７３を備えている。カバー本体部７０は、引留クランプ９の大部分を覆っている。導入筒部７３は、カバー本体部７０の第１隅部から突出している。又、一対の絶縁ケース７１・７１は、導出筒部７４と碍子連結部７５を備えている。導出筒部７４は、カバー本体部７０の第２隅部から突出している。碍子連結部７５は、カバー本体部７０の第３隅部から突出している。
【００１３】
図９又は図１０を参照すると、カバー本体部７０は、導入筒部７３から電線Ｗを導入できる。又、カバー本体部７０は、導出筒部７４から電線Ｗを導出できる。更に、碍子連結部７５は、耐張碍子Ｓｉの端部に設けた連結部材Ｓｊを覆うことができる。そして、導出筒部７４とカバー本体部７０の間には、伸縮自在な可撓性を有する蛇腹部７４ａを介設している。
【００１４】
図９又は図１０を参照すると、導出筒部７４とカバー本体部７０の間に蛇腹部７４ａを介設することで、カバー本体部７０に対して、導出筒部７４から延出する電線Ｗを揺動自在に保持できる。又、碍子連結部７５は、膨出部７５ａを基端部に形成している。膨出部７５ａは、円環部９１ａと耐張碍子Ｓｉの連結部材Ｓｊを連結する連結ピン９１ｐを覆うために、外方に向けて膨出している。
【００１５】
図９又は図１０を参照すると、特許文献１によるクランプカバー７は、伸縮自在な可撓性を有する蛇腹部７４ａを介して、導出筒部７４をカバー本体部７０に接続している。これにより、クランプカバー７は、引留クランプ９から引き出される電線Ｗの状態に応じて導出筒部７４を自在に対応させることができる、としている。そして、クランプカバー７は、その取り付け作業性が良好となり、特に、間接活線作業での作業性を向上できる、としている。
【００１６】
又、図９又は図１０を参照すると、特許文献１によるクランプカバー７は、一対の絶縁ケース７１・７１を閉じ合わせたときに無理な負荷が作用し難くなるため、閉じ合わせ部に隙間が生じ難くなり耐久性も向上できる、としている。そして、導出筒部７４がカバー本体部７０に対して可撓自在であるため、電線Ｗに作用する風力の影響を緩和することができ、その閉じ合わせ部に隙間が生じ難くなり、その閉じ合わせ部の耐久性も向上できる、としている。
【００１７】
特許文献１によるクランプカバー７は、一方の絶縁ケース７１の施錠片７３ａから円柱状のフック７３１を突出している（図９参照）。又、特許文献１によるクランプカバー７は、他方の絶縁ケース７１の施錠片７３ａに円形の係合穴７３２を開口している（図１０参照）。そして、特許文献１によるクランプカバー７は、一対の施錠片７３ａ・７３ａを突き合せて、フック７３１を係合穴７３２に嵌合させることで、一対の絶縁ケース７１・７１を閉止できる、としている。
【００１８】
しかしながら、特許文献１によるクランプカバー７は、電線Ｗの振動などに起因して、フック７３１が係合穴７３２から外れ易いという問題がある。引留クランプを絶縁ケースで覆う電線用クランプカバーであって、絶縁操作棒を用いて、一端部側をヒンジ部で連結した一対の絶縁ケースの他端部側を確実に閉止できる電線用クランプカバーが求められている。そして、以上のことが本発明の課題といってよい。
【００１９】
本発明は、このような課題に鑑みてなされたものであり、絶縁操作棒を用いて、一端部側をヒンジ部で連結した一対の絶縁ケースの他端部側を確実に閉止できる電線用クランプカバーを提供することを目的とする。
【課題を解決するための手段】
【００２０】
本発明者は、引留クランプを絶縁ケースで覆う電線用クランプカバーであって、一端部側をヒンジ部で屈曲自在に連結し、他端部側を開閉自在に構成した一対の絶縁ケースで電線用クランプカバーを構成し、一方の絶縁ケースには、鍔片を他端部側に突出させると共に、折り曲げ可能な薄肉のヒンジ帯を鍔片から延出させ、ヒンジ帯の先端部に第１係合部材を設け、他方の絶縁ケースには、他端部側に開口した凹部を形成した収容箱を他端部側に突出させると共に、凹部に出入り自在に収容箱に連結した第２係合部材を設け、第１係合部材と第２係合部材を係合した状態で、これらの係合部材を脱落困難に凹部に収容することで、一対の絶縁ケースの他端部側を確実に閉止できることを見出し、これに基づいて、以下のような新たな電線用クランプカバーを発明するに至った。
【００２１】
（１）本発明による電線用クランプカバーは、電線を導入する導入筒部、及び前記電線を導出する導出筒部を少なくとも有し、前記電線をクランプする引留クランプを覆う電線用クランプカバーであって、屈曲自在なヒンジ部を一端部側に有し、他端部側を開閉自在に構成した一対の絶縁ケースを備え、一方の前記絶縁ケースは、他端部側に突出し、所定の幅に延びる鍔片と、この鍔片の端縁から延出し、折り曲げ可能な薄肉のヒンジ帯と、このヒンジ帯の先端部に設けた板状の第１係合部材と、を有し、他方の前記絶縁ケースは、他端部側に突出し、一方の外壁に前記鍔片を当接できると共に、他端部側に開口した凹部を形成した収容箱と、前記凹部に出入り自在に前記収容箱に連結した板状の第２係合部材と、を有し、一対の開閉腕を先端部に有する第１絶縁操作棒を用いて、前記第１係合部材と前記第２係合部材を係合した状態で、これらの第１係合部材と第２係合部材を脱落困難に前記凹部に収容させる。
【００２２】
（２）前記鍔片が延びる方向から反転し、前記収容箱の一方の外壁の端縁を経由可能なＵ字状の第１折り曲げ部と、前記第１折り曲げ部から前記鍔片が延びる方向と反対方向に延びる第１帯状部と、前記第１帯状部が延びる方向から反転するＵ字状の第２折り曲げ部と、前記第２折り曲げ部から第１係合部材に向かって延びる第２帯状部と、を有し、前記第１折り曲げ部及び前記第２折り曲げ部を屈曲させた状態で、前記ヒンジ帯を前記凹部に収容させることが好ましい。
【００２３】
（３）前記第２係合部材は、一方の面から突出した一対の鉤片を有し、前記収容箱は、前記第２係合部材が前記凹部に出入りする方向に、一対の前記鉤片を案内する一対の長穴を一方の前記外壁と反対側の他方の外壁に有することが好ましい。
【００２４】
（４）前記第２係合部材は、第２絶縁操作棒の先端部に設けたフック状の先端工具が係合可能な係合穴を開口した係止片を下端部から突出していることが好ましい。
【００２５】
（５）少なくとも、前記鍔片、前記ヒンジ帯、及び前記１係合部材を一体成形していることが好ましい。
【発明の効果】
【００２６】
本発明による電線用クランプカバーは、一方の絶縁ケースがヒンジ帯の先端部に設けた第１係合部材を他端部側に有し、他方の絶縁ケースが凹部を形成した収容箱に連結した第２係合部材を他端部側に有し、第１絶縁操作棒を用いて、第１係合部材と第２係合部材を係合した状態で、これらの第１係合部材と第２係合部材を脱落困難に前記凹部に収容させることで、一対の絶縁ケースの他端部側を確実に閉止できる。
【図面の簡単な説明】
【００２７】
【図１】本発明の一実施形態による電線用クランプカバーの構成を示す正面図である。
【図２】前記実施形態による電線用クランプカバーの構成を示す正面図であり、一方の絶縁ケースを開いた状態図である。
【図３】前記実施形態による電線用クランプカバーの構成を示す図であり、図３（Ａ）は、図１のＡ−Ａ矢視断面拡大図、図３（Ｂ）は、図３（Ａ）の下面図である。
【図４】図１のＡ−Ａ矢視断面拡大図であり、一組の第１係合部材と第２係合部材を収容箱から引き出した状態図である。
【図５】前記実施形態による電線用クランプカバーの要部を拡大した斜視分解組立図である。
【図６】前記実施形態による電線用クランプカバーの要部を拡大した斜視分解組立図であり、ヒンジ帯を図面上で切り離した状態で、図５と異なる方向から電線用クランプカバーの要部を観ている。
【図７】図１のＡ−Ａ矢視断面拡大図であり、一対の開閉腕を先端部に有する第１絶縁操作棒を用いて、一組の第１係合部材と第２係合部材を収容箱に収容する前の状態図である。
【図８】図１のＡ−Ａ矢視断面拡大図であり、フック状の先端工具を先端部に設けた第２絶縁操作棒を用いて、収容箱に収容された一組の第１係合部材と第２係合部材を凹部から引き出す前の状態図である。
【図９】従来技術による電線用クランプカバーの正面図である。
【図１０】従来技術による電線用クランプカバーの正面図であり、一方の絶縁ケースを開いた状態図である。
【発明を実施するための形態】
【００２８】
以下、図面を参照して本発明を実施するための形態を説明する。
［電線用クランプカバーの構成］
最初に、本発明の一実施形態による電線用クランプカバーの構成を説明する。
【００２９】
図１は、本発明の一実施形態による電線用クランプカバーの構成を示す正面図である。図２は、前記実施形態による電線用クランプカバーの構成を示す正面図であり、一方の絶縁ケースを開いた状態図である。なお、従来技術で使用した符号と同じ符号は、その作用を同一にするので、以下の説明では割愛することがある。
【００３０】
（全体構成）
図１又は図２を参照すると、本発明の一実施形態による電線用クランプカバー（以下、クランプカバーと略称する）１００は、半分割状態に形成された一対の絶縁ケース１１・１１で構成している。一対の絶縁ケース１１・１１は、一端部側をヒンジ部１２ｈで屈曲自在に連結し、他端部側を開閉自在に構成している。一対の絶縁ケース１１・１１の他端部側を閉じることで、くさび型の引留クランプ９を絶縁ケースで覆うことができる。
【００３１】
図１又は図２を参照すると、一対の絶縁ケース１１・１１は、三角体状のカバー本体部１０と導入筒部１３を備えている。カバー本体部１０は、引留クランプ９の大部分を覆っている。導入筒部１３は、カバー本体部１０の第１隅部から突出している。又、一対の絶縁ケース１１・１１は、導出筒部１４と碍子連結部１５を備えている。導出筒部１４は、カバー本体部１０の第２隅部から突出している。碍子連結部１５は、カバー本体部１０の第３隅部から突出している。
【００３２】
図１又は図２を参照すると、カバー本体部１０は、導入筒部１３から電線Ｗを導入できる。又、カバー本体部１０は、導出筒部１４から電線Ｗを導出できる。更に、碍子連結部１５は、耐張碍子Ｓｉの端部に設けた連結部材Ｓｊを覆うことができる。そして、導出筒部１４とカバー本体部１０の間には、伸縮自在な可撓性を有する蛇腹部１４ａを介設している。
【００３３】
図１又は図２を参照すると、導出筒部１４とカバー本体部１０の間に蛇腹部１４ａを介設することで、カバー本体部１０に対して、導出筒部１４から延出する電線Ｗを揺動自在に保持できる。又、碍子連結部１５は、膨出部１５ａを基端部に形成している。膨出部１５ａは、円環部９１ａと耐張碍子Ｓｉの連結部材Ｓｊを連結する連結ピン９１ｐを覆うために、外方に向けて膨出している。
【００３４】
引き続き、実施形態によるクランプカバー１００の構成を説明する。図３は、前記実施形態による電線用クランプカバーの構成を示す図であり、図３（Ａ）は、図１のＡ−Ａ矢視断面拡大図、図３（Ｂ）は、図３（Ａ）の下面図である。
【００３５】
図４は、図１のＡ−Ａ矢視断面拡大図であり、一組の第１係合部材と第２係合部材を収容箱から引き出した状態図である。図５は、前記実施形態による電線用クランプカバーの要部を拡大した斜視分解組立図である。図６は、前記実施形態による電線用クランプカバーの要部を拡大した斜視分解組立図であり、ヒンジ帯を図面上で切り離した状態で、図５と異なる方向から電線用クランプカバーの要部を観ている。
【００３６】
図７は、図１のＡ−Ａ矢視断面拡大図であり、一対の開閉腕を先端部に有する第１絶縁操作棒を用いて、一組の第１係合部材と第２係合部材を収容箱に収容する前の状態図である。図８は、図１のＡ−Ａ矢視断面拡大図であり、フック状の先端工具を先端部に設けた第２絶縁操作棒を用いて、収容箱に収容された一組の第１係合部材と第２係合部材を凹部から引き出す前の状態図である。
【００３７】
（一方の絶縁ケースの構成）
図３から図６を参照すると、一方の絶縁ケース１１は、鍔片１６ａ、薄肉のヒンジ帯１６ｂ、及び板状の第１係合部材１６を備えている。鍔片１６ａは、ヒンジ部１２ｈと反対側の絶縁ケース１１の他端部側に突出している。又、鍔片１６ａは、所定の幅に延びている。鍔片１６ａは、所定の間隔を設けて、一方の絶縁ケース１１の他端部側に一対に配置されている（図１参照）。
【００３８】
図３から図６を参照すると、ヒンジ帯１６ｂは、鍔片１６ａの端縁から延出し、折り曲げ可能に配置されている。第１係合部材１６は、ヒンジ帯１６ｂの先端部に取り付けられている。ヒンジ帯１６ｂは、一端部側に鍔片１６ａを繋留し、他端部側に第１係合部材１６を繋留している、ということもできる。少なくとも、鍔片１６ａ、ヒンジ帯１６ｂ、及び第１係合部材１６を合成樹脂で一体成形することが好ましい。
【００３９】
図５又は図６を参照すると、ヒンジ帯１６ｂは、Ｕ字状の第１折り曲げ部ｋ１とＵ字状の第２折り曲げ部ｋ２を有している。又、ヒンジ帯１６ｂは、第１帯状部ｍ１と第２帯状部ｍ２を有している。第１折り曲げ部ｋ１は、鍔片１６ａが延びる方向から反転し、後述する収容箱１７の一方の外壁１７１の端縁を経由できる（図３参照）。
【００４０】
図５又は図６を参照すると、第１帯状部ｍ１は、第１折り曲げ部ｋ１から鍔片１６ａが延びる方向と反対方向に延びている。第２折り曲げ部ｋ２は、第１帯状部ｍ１が延びる方向から反転している。第２帯状部ｍ２は、第２折り曲げ部ｋ２から第１係合部材１６に向かって延びている。第１折り曲げ部ｋ１及び第２折り曲げ部ｋ２を屈曲させた状態で、ヒンジ帯１６ｂを後述する収容箱１７の凹部１７０に収容できる（図４又は図５参照）。
【００４１】
図３から図５を参照すると、第１係合部材１６は、フックピン１６ｃを一方の面から突出している。一方、図６を参照すると、後述する第２係合部材１８は、係合穴１８ｉを他方の面に開口している。フックピン１６ｃは、係合穴１８ｉに係止できる。後述する第２絶縁操作棒６を用いて（図７参照）、第１係合部材１６と第２係合部材１８を係合できる（図３又は図４参照）。
【００４２】
（他方の絶縁ケースの構成）
図３から図６を参照すると、他方の絶縁ケース１１は、収容箱１７と板状の第２係合部材１８を備えている。収容箱１７は、ヒンジ部１２ｈと反対側の絶縁ケース１１の他端部側に突出している。収容箱１７は、所定の間隔を設けて、他方の絶縁ケース１１の他端部側に一対に配置されている（図２参照）。収容箱１７の一方の外壁１７１には、鍔片１６ａを当接できる（図３又は図４参照）。又、収容箱１７は、他方の絶縁ケース１１の他端部側に開口した凹部１７０を形成している（図４又は図５参照）。
【００４３】
図３（Ｂ）又は図５を参照すると、第２係合部材１８は、その一方の面から突出した一対の鉤片１８ｒ・１８ｒを有している。一方、収容箱１７は、一方の外壁１７１と反対側の他方の外壁１７２に一対の長穴１７ｈ・１７ｈを形成している（図５又は図６参照）。長穴１７ｈには、鉤片１８ｒを係合できる。そして、収容箱１７は、第２係合部材１８が凹部１７０に出入りする方向に、一対の鉤片１８ｒ・１８ｒを案内できる。
【００４４】
図６を参照すると、第２係合部材１８は、係合穴１８ｉを他方の面に開口している。係合穴１８ｉには、フックピン１６ｃを挿入できる。これにより、第１係合部材１６と第２係合部材１８を係合できる（図３又は図４参照）。なお、第２係合部材１８は、フックピン１６ｃの頭部を逃げる逃げ穴１８ｈを一方の面に開口している（図５参照）。
【００４５】
図５又は図６を参照すると、第２係合部材１８は、フックピン１８ｂを上面から突出している。一方、図４又は図６を参照すると、収容箱１７は、凹部１７０の上壁に係合穴１７ｉを開口している。第１係合部材１６と第２係合部材１８が係合した状態で（図４参照）、これらの第１係合部材１６と第２係合部材１８を凹部１７０に挿入でき（図３参照）、フックピン１８ｂを係合穴１７ｉに係止することで、第１係合部材１６と第２係合部材１８の脱落を防止できる。
【００４６】
（係止片の構成）
図３から図６を参照すると、第２係合部材１８は、係止片１８ｔを下端部から突出している。後述する第１絶縁操作棒５を用いて（図７参照）、係止片１８ｔを把持でき、第１係合部材１６と第２係合部材１８が係合した状態で（図４参照）、これらの第１係合部材１６と第２係合部材１８を凹部１７０に挿入できる（図３参照）。
【００４７】
又、図２又は図６を参照すると、係止片１８ｔには、係合穴１８ｋを開口している。係合穴１８ｋには、後述する第２絶縁操作棒６の先端部に設けたフック状の先端工具６ｃを係合できる（図８参照）。そして、係合穴１８ｋに先端工具６ｃを係合して、第１係合部材１６と第２係合部材１８が係合した状態で（図３参照）、凹部１７０から第１係合部材１６と第２係合部材１８を引き出すことができる（図３参照）。
【００４８】
（第１絶縁操作棒の構成）
図７を参照すると、第１絶縁操作棒５は、一対の開閉腕５ａ・５ｂを先端部に備えている。一方の開閉腕５ａは固定腕であり、他方の開閉腕５ｂは可動腕である。一方の開閉腕５ａに対して、回動中心５ｃを支点に他方の開閉腕５ｂを開閉できる。
【００４９】
図７を参照すると、一方の開閉腕５ａは、主操作棒５１の先端部に固定している。主操作棒５１に沿って、補助操作棒５２を配置している。補助操作棒５２の先端部は、他方の開閉腕５ｂに連結している。主操作棒５１の手許部に設けた操作レバー（図示せず）を操作すると、補助操作棒５２を軸方向に移動でき、一対の開閉腕５ａ・５ｂを開閉できる。このような第１絶縁操作棒５は、いわゆる、絶縁ヤットコと呼ばれている。
【００５０】
（第２絶縁操作棒の構成）
図８を参照すると、第２絶縁操作棒６は、フック状の先端工具６ｃを先端部に設けている。先端工具６ｃを係合穴１８ｋに係止して、第２絶縁操作棒６を引き下げることで、凹部１７０から第１係合部材１６と共に第２係合部材１８を引き出すことができる（図４参照）。図示されたフック状の先端工具６ｃは、碍子及び架空配電線にバインド線（図示せず）を巻回して、架空配電線を碍子に支持できることから、いわゆる、バインド打ち器と呼ばれている。
【００５１】
［電線用クランプカバーの作用］
次に、実施形態によるクランプカバー１００の操作方法を説明しながら、クランプカバー１００の作用及び効果を説明する。
【００５２】
最初に、図２又は図７を参照して、第１絶縁操作棒５を用いて、係止片１８ｔを把持し、一対の絶縁ケース１１・１１が開いた状態で、クランプカバー１００を引留クランプ９に移動し、他方の絶縁ケース１１に引留クランプ９を収容する。次に、別の第１絶縁操作棒５を用いて、第１係合部材１６を把持し、一対の絶縁ケース１１・１１を一旦閉じる。
【００５３】
次に、図４に示すように、第１係合部材１６と第２係合部材１８が係合した状態で、第１絶縁操作棒５を用いて、係止片１８ｔを把持し、ヒンジ帯１６ｂを変形させながら、第１係合部材１６と第２係合部材１８を収容箱１７の凹部１７０に押し込む。そして、フックピン１８ｂが係合穴１７ｉに係止したことをクリック音又は第１絶縁操作棒５の手許の感覚で確認し、クランプカバー１００の閉止作業を完了する。
【００５４】
図３に示した状態では、フックピン１８ｂが係合穴１７ｉに係止しているので、第１係合部材１６と第２係合部材１８の脱落を防止できる。更に、図３に示した状態では、鍔片１６ａと第１係合部材１６を連結したヒンジ帯１６ｂが折り畳まれた状態で、凹部１７０に収容されているので、一対の絶縁ケース１１・１１の他端部側を確実に閉止できる。
【００５５】
次に、一対の絶縁ケース１１・１１を開く操作を説明する。最初に、第２絶縁操作棒６を用いて（図８参照）、先端工具６ｃを係合穴１８ｋに係止して、第２絶縁操作棒６を引き下げることで、ヒンジ帯１６ｂを変形させながら、凹部１７０から第１係合部材１６と共に第２係合部材１８を引き出すことができる（図４参照）。次に、第１絶縁操作棒５を用いて（図７参照）、第２係合部材１８から第１係合部材１６を取り外すことで、一対の絶縁ケース１１・１１を開くことができる。
【００５６】
図２又は図８を参照すると、実施形態によるクランプカバー１００は、第２絶縁操作棒６の先端部に設けたフック状の先端工具６ｃが係合可能な係合穴１８ｋを開口した係止片１８ｔを第２係合部材１８の下端部から突出しているので、凹部１７０から第１係合部材１６と共に第２係合部材１８を容易に引き出すことができる（図４参照）。
【００５７】
本発明による電線用クランプカバーは、次のような効果が期待される。
（ア）電線の振動などに起因して、フックが係合穴から外れる心配がなくなる。
（イ）引留クランプが露出する心配がなくなる。
（ウ）隙間から鳥又は蛇などが侵入すること防止できる。
【００５８】
本発明による電線用クランプカバーは、絶縁操作棒を用いた間接活線作業に好適な実施形態を開示したが、絶縁手袋を用いた直接活線作業にも適用できる。本発明による電線用クランプカバーは、間接活線作業が効率化され、作業時間の短縮が期待できる。
【符号の説明】
【００５９】
５  第１絶縁操作棒
５ａ・５ｂ  一対の開閉腕
９  引留クランプ
１１・１１  一対の絶縁ケース
１２ｈ  ヒンジ部
１３  導入筒部
１４  導出筒部
１６  第１係合部材
１６ａ  鍔片
１６ｂ  ヒンジ帯
１７  収容箱
１８  第２係合部材
１００  クランプカバー（電線用クランプカバー）
１７０  凹部
１７１  一方の外壁
Ｗ  電線
【図１】
2015061367.tif 000003
【図２】
2015061367.tif 000004
【図３】
2015061367.tif 000005
【図４】
2015061367.tif 000006
【図５】
2015061367.tif 000007
【図６】
2015061367.tif 000008
【図７】
2015061367.tif 000009
【図８】
2015061367.tif 000010
【図９】
2015061367.tif 000011
【図１０】
2015061367.tif 000012